(57)【要約】【課題】被着体に貼付されたシートを保管に適した状態で被着体から容易に剥離することのできる貼付シートを提供すること。【解決手段】一方の面を印字面１０Ａとする不透明な第１シート基材１０の他方の面に、第１疑似接着剤層１１と第１接着剤層１２とが積層された第１シートＳ１と、一方の面を印字面１５Ａとする不透明な第２シート基材１５の他方の面に、第２疑似接着剤層１６と第２接着剤層１７とが積層された第２シートＳ２とからなり、第１シート基材１０の印字面１０Ａ側に第２シートＳ２の第２接着剤層１７を接着して積層する。第２シート基材１５は、第２疑似接着剤層１６の層間剥離によって剥離でき、第１シート基材１０は、第１疑似接着剤層１１の層間剥離によって剥離でき、第１接着剤層１２が被着体Ｗに接着していても、第１シート基材１０の容易なる剥離が可能となっている。【選択図】図２
2010179479.tif 000002
【特許請求の範囲】
【請求項１】
一方の面を印字面とする不透明な第１シート基材の他方の面に、第１疑似接着剤層と第１接着剤層とが積層された第１シートと、
一方の面を印字面とする不透明な第２シート基材の他方の面に、第２疑似接着剤層と第２接着剤層とが積層された第２シートとを含み、
前記第１シート基材の印字面側に前記第２シートの第２接着剤層を接着して積層したことを特徴とする貼付シート。
【請求項２】
前記第１疑似接着剤層は、前記第１接着剤層側に位置する第１フイルム層と、前記第１シート基材側に位置する第２フイルムとを含む少なくとも２層構造とされる一方、前記第２疑似接着剤層は、前記第２接着剤層側に位置する第３フイルム層と、前記第２シート基材側に位置する第４フイルムとを含む少なくとも２層構造とされ、
前記第１シート及び第２シートは、それぞれ第１シート基材及び第２シート基材側から第１フイルム層及び第３フイルム層に達する切り込みが形成されていることを特徴とする請求項１記載の貼付シート。
【請求項３】
前記第１シート及び第２シートは、同一形状及び又は同一層構造であることを特徴とする請求項１又は２記載の貼付シート。
【請求項４】
前記第１シート基材の印字内容は、前記第２疑似接着剤層の層間剥離によって視認可能に設けられていることを特徴とする請求項１、２又は３記載の貼付シート。
【請求項５】
前記第２シートが積層された第１シートの接着剤層を被着体に貼付したときに、前記第１シート基材が第２フイルム層と第２接着剤層及び第３フイルム層で挟まれた状態で前記被着体から剥離可能に設けられていることを特徴とする請求項２ないし４の何れかに記載の貼付シート。
【発明の詳細な説明】
【技術分野】
【０００１】
本発明は貼付シートに係り、更に詳しくは、被着体に貼付されたシートを保管に適した状態で容易に剥離することのできる貼付シートに関する。
【背景技術】
【０００２】
宅配商品等の配送伝票には、商品を受け渡した際に配送業者が持ち帰るシートと、受取人が保管する領収書等のシートとが積層されたタイプのものが存在する。
【０００３】
このような配送伝票としては、例えば、特許文献１に開示されている。同配送伝票は、裏面に接着剤層を備えた第１シート（貼付票）と、この第１シートに疑似接着する第２シート（配達票）とを含み、第２シートが第１シートに疑似接着した状態で当該第１シートが被着体に貼付される構成となっている。
【先行技術文献】
【特許文献】
【０００４】
【特許文献１】特開２００３−１１５５１号公報
【発明の概要】
【発明が解決しようとする課題】
【０００５】
特許文献１の配送伝票は、第２シートを配送業者が持ち帰るものであり、受取人は、第１シートを保管することができる。
しかしながら、第１シートは、被着体に接着しているので、当該被着体から容易に剥離することができず、無理矢理剥離しようとすると、第１シートが破れてしまう、という不都合がある。また、第１シートを被着体から剥離したときに、当該第１シートに接着剤の一部が残ってしまい、この接着剤が他の物に接着してしまうため、保管に適さない、という不都合もある。
【０００６】
［発明の目的］
本発明は、このような不都合に着目して案出されたものであり、その目的は、被着体に貼付されたシートを保管に適した状態で被着体から容易に剥離することのできる貼付シートを提供することにある。
【課題を解決するための手段】
【０００７】
前記目的を達成するため、本発明は、一方の面を印字面とする不透明な第１シート基材の他方の面に、第１疑似接着剤層と第１接着剤層とが積層された第１シートと、一方の面を印字面とする不透明な第２シート基材の他方の面に、第２疑似接着剤層と第２接着剤層とが積層された第２シートとを含み、前記第１シート基材の印字面側に前記第２シートの第２接着剤層を接着して積層する、という構成を採っている。
【０００８】
本発明において、前記第１疑似接着剤層は、前記第１接着剤層側に位置する第１フイルム層と、前記第１シート基材側に位置する第２フイルムとを含む少なくとも２層構造とされる一方、前記第２疑似接着剤層は、前記第２接着剤層側に位置する第３フイルム層と、前記第２シート基材側に位置する第４フイルムとを含む少なくとも２層構造とされ、前記第１シート及び第２シートは、それぞれ第１シート基材及び第２シート基材側から第１フイルム層及び第３フイルム層に達する切り込みが形成される、という構成を採っている。
【０００９】
また、前記第１シート及び第２シートは、同一形状及び／又は同一層構造とすることが好ましい。
【００１０】
更に、前記第１シート基材の印字内容は、前記第２疑似接着剤層の層間剥離によって視認可能に設けられる、という構成を採っている。
【００１１】
また、前記第２シートが積層された第１シートの接着剤層を被着体に貼付したときに、前記第１シート基材が第２フイルム層と第２接着剤層及び第３フイルム層で挟まれた状態で前記被着体から剥離可能に設けられる、という構成を採っている。
【００１２】
本発明における疑似接着剤層は、複数、例えば、二層の積層フイルムによって構成され、それらの界面で剥離可能に設けることができる。疑似接着形成層に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層とすることができる。
また、本発明において、「印字」は、文字、記号、図形又はこれらの任意の組合せを含む概念として用いられる。
【発明の効果】
【００１３】
本発明によれば、第１接着剤層が被着体に接着していても、第１シート基材が第１疑似接着剤層で剥離できるようになる。従って、第１シート基材を剥離する際に当該第１シート基材が破れたり、剥離した第１シート基材が他の物に接着してしまうような従来の不都合を確実に解消することができる。
また、前記第１シート及び第２シートは切り込みが形成されているため、剥離する際に端部を摘み易くすることができ、剥離作業を容易且つスムースに行うことができる。
更に、第１シートと第２シートとは、同一形状及び／又は同一層構成であるため、コストを安く抑えることができるうえ、シート自体の厚みに関しても大差なく構成できるので、それぞれのシートに印字を行うプリンタ等の印字手段における設定も同じ設定で行うことができ、機械特性もよくなる。
更に、第２疑似接着剤層を剥離したときに第１シート基材の印字内容が視認できる構成であるため、貼付シートが配送伝票である場合に、受取人は第１シート基材に印字された内容を直ちに認識することができる。
また、第１シート基材が第２フイルム層と第２接着剤層及び第３フイルム層で挟まれた状態で被着体から剥離できるので、第１シート基材の表裏がラミネートされた状態で当該第１シート基材を保管することができる。
【図面の簡単な説明】
【００１４】
【図１】（Ａ）は本発明に係る貼付シートが配送伝票に適用された実施形態を示す概略斜視図、（Ｂ）は図１（Ａ）のｂ部拡大図。
【図２】貼付シートの層構造を示す分解側面図。
【図３】第２シート基材を剥離する状態を示す概略斜視図。
【図４】第１シート基材を剥離する状態を示す概略斜視図。
【発明を実施するための形態】
【００１５】
以下、本発明の実施の形態について図面を参照しながら説明する。
【００１６】
図１及び図２において、宅配商品等の梱包体となる被着体Ｗに貼付シートＳが貼付されている。この貼付シートＳは、略長方形の平面形状を有する第１シートＳ１と、この第１シートＳ１と同一の形状及び層構造を備えた第２シートＳ２とにより構成されている。
【００１７】
前記第１シートＳ１は、図２に示されるように、一方の面（上面）を印字面１０Ａとして罫線を含む印字１０ａが施された不透明な第１シート基材１０と、当該第１シート基材１０の他方の面（下面）に順次積層された第１疑似接着剤層１１と、被着体Ｗに接着する第１接着剤層１２とにより構成されている。第１疑似接着剤層１１は、第１接着剤層１２側に位置するポリスチレンからなる透明な第１フイルム層１１Ａと、第１シート基材１０側に位置する低密度ポリエチレンからなる第２フイルム層１１Ｂとからなり、これら第１及び第２フイルム層１１Ａ、１１Ｂの界面で剥離可能となっている。ここで、第１シートＳ１は、その長寸方向一端側において、短寸方向に沿って延びる切り込みＣ１が第１シート基材１０側から第１フイルム層１１Ａに達するように形成されている。また、切り込みＣ１の両端側には、第１シート基材１０と第２フイルム層１１Ｂの一部を切除した平面視略三角形状の指掛け部２０が形成されている。
なお、印字１０ａの内容は、本実施形態では、例えば、図３に示されるように、配送商品の納品書として機能するように、品名、金額等を含む情報とされている。また、第１シートＳ１は、第１接着剤層１２側に図示しない剥離シートが仮着されている。
【００１８】
前記第２シートＳ２は、一方の面（上面）を印字面１５Ａとして罫線を含む印字１５ａが施される不透明な第２シート基材１５と、この第２シート基材１５の他方の面（下面）に順次積層された第２疑似接着剤層１６と、前記第１シート基材１０に重ね合わせて接着される第２接着剤層１７とにより構成されている。第２疑似接着形成層１６は、前記第１疑似接着剤層１１と同様に、第２接着剤層１７側に位置するポリスチレンからなる第３フイルム層１６Ａと、第２シート基材１５側に位置する低密度ポリエチレンからなる第４フイルム層１６Ｂとからなり、これら第３フイルム層１６Ａと第４フイルム層１６Ａとの界面で剥離可能となっている。ここで、第３フイルム層１６Ａと第２接着剤層１７とは透明に設けられており、第３、第４フイルム層１６Ａ、１６Ｂの界面で第２シート基材１５を剥離することで、第１シート基材１０に施された印字１０ａが第３フイルム層１６Ａ及び第２接着剤層１７を通して見えるようになっている。また、第２シートＳ２は、第１シートＳ１と同様の切り込みＣ２が第２シート基材１５側から第３フイルム層１６Ａに達するように形成され、この切り込みＣ２の両端側には、第２シート基材１５と第４フイルム層１６Ｂの一部を切除した平面視略三角形状の指掛け部２１が形成されている。
なお、第２シート基材１５の印字１５ａは、本実施形態では、例えば、配送商品の「届け先」や「送り主」等の表示の他、「受領印」の捺印欄が設けられ、配達員が第２シート基材１５を剥離して持ち帰るものとして構成されている。また、貼付前の第２シートＳ２は、第２接着剤層１７側に図示しない剥離シートが仮着されている。
【００１９】
次に本実施形態における貼付シートＳの使用方法について説明する。
【００２０】
先ず、第１シートＳ１において、第１シート基材１０の印字面１０Ａに、納品書として機能する所定の印字１０ａが施される一方、第２シートＳ２における第２シート基材１５の印字面１５Ａに受取人情報等の印字１５ａが施される。
【００２１】
そして、第２シートＳ２の図示しない剥離シートを剥離して第２接着剤層１７を表出させた後、当該第２接着剤層１７を第１シートＳ１の印字面１０Ａに接着して第１及び第２シートＳ１、Ｓ２を積層し、貼付シートＳとする。
【００２２】
次いで、第１シートＳ１の第１接着剤層１２に仮着されている図示しない剥離シートを剥離して第１接着剤層１２を表出させた後、当該第１接着剤層１２を介して貼付シートＳを被着体Ｗに貼付する。
【００２３】
貼付シートＳが貼付された宅配商品が受取人に配達された際には、図３に示されるように、配達人は第２シート基材１５の受領印欄に受取人印鑑の押印Ｎを受けた後、第２シートＳ２の指掛け部２１に指先を引っ掛けて第２シート基材１５と第４フイルム層１６Ｂとを摘み、これを剥離して第４フイルム層１６Ｂが付随した第２シート基材１５を持ち帰ることとなる。つまり、第２シート基材１５の剥離は、第３、第４フイルム層１６Ａ、１６Ｂの界面で行われることとなる。この際、第１シートＳ１上には第２接着剤層１７を介して第３フイルム層１６Ａが残ることになるが、当該第３フイルム層１６Ａと接着剤層１７は透明であるため、第１シート基材１０上の印字１０ａを透かして見ることができる。
【００２４】
受取人は、図４に示されるように、第１シートＳ１の指掛け部２０に指先を引っ掛けて第１シート基材１０を剥離することにより、当該第１シート基材１０をシート片として保管することができる。この第１シート基材１０の剥離は、第１フイルム層１１Ａと第２フイルム層１１Ｂとの界面で行われ、被着体Ｗ上には、第１接着剤層１２と第１フイルム層１１Ａが残ることとなる。なお、剥離された第１シート基材１０は、第２フイルム層１１Ｂと第２接着剤層１７及び第３フイルム層１６Ａで挟まれた状態となる。
【００２５】
従って、このような実施形態によれば、第１シート基材１０を被着体Ｗから剥離する際に、第１フイルム層１１Ａと第２フイルム層１１Ｂとが界面剥離するため、第１シート基材１０を容易且つスムースに剥離できるうえ、剥離された第１シート基材１０には、第１接着剤層１２が残らないため、接着剤が他の物に接着してしまうような不都合を解消して保管に適した状態で被着体から容易に剥離することができる。
【００２６】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２７】
例えば、前記実施形態では、第１疑似接着剤層１１と第２疑似接着剤層１６とがそれぞれ２層構造である場合を図示、説明したが、３層以上に設けることもできる。また、第２疑似接着剤層１６の第３フイルム層１６Ａと第４フイルム層１６Ｂとの間に不透明な第５フイルム層を設け、当該第５フイルム層と第４フイルム層１６Ｂとの間で剥離することで第２シート基材１５を剥離する構成としてもよい。この場合、第２シート基材１５を剥離した際の第１シート基材１０上の印字１０ａを隠蔽できるので、受取人は、その後に、第５フイルム層を第３フイルム層から剥離することで印字内容を認識することができ、印字内容の秘匿性を保つことが可能となる。
【００２８】
更に、貼付シートＳは宅配商品の配送伝票に限らず、その他のラベル等に適用してもよく、また、第１及び第２シートＳ１、Ｓ２の平面形状、層構造は、種々変更することができる。
【符号の説明】
【００２９】
１０Ａ、１５Ａ  印字面
１０ａ、１５ａ  印字
１０  第１シート基材
１１  第１疑似接着剤層
１１Ａ  第１フイルム層
１１Ｂ  第２フイルム層
１２  第１接着剤層
１５  第２シート基材
１６  第２疑似接着剤層
１６Ａ  第３フイルム層
１６Ｂ  第４フイルム層
１７  第２接着剤層
Ｃ１、Ｃ２  切り込み
Ｓ  貼付シート
Ｓ１  第１シート
Ｓ２  第２シート
Ｗ  被着体
【図１】
2010179479.tif 000003
【図２】
2010179479.tif 000004
【図３】
2010179479.tif 000005
【図４】
2010179479.tif 000006